(57)【特許請求の範囲】
【請求項１】
雨水を流入させる流入口が設けられ、該流入口から流入した雨水を貯留するための貯水部と、該貯水部内を充填するように積層されて前記貯水部内に配置された複数の充填部材と、前記貯水部の底面に設けられ、前記流入口を経て前記貯水部内に雨水と共に流入した土砂を溜めるための土砂溜め部とを備え、前記貯水部内には、該貯水部内に流入した土砂を前記土砂溜め部内にその伸長方向にほぼ一様に撒くための土砂撒き手段が設けられていることを特徴とする雨水貯留システム。
【請求項２】
前記土砂溜め部は、少なくとも前記流入口から前記貯水部内への雨水の流入方向に沿って伸びるように前記貯水部の前記底面に設けられており、前記土砂撒き手段は、前記土砂溜め部の上方に該土砂溜め部の伸長方向に沿って伸びるように配置され、一端が前記流入口に接続された管部材であり、該管部材には、前記流入口を経て前記管部材内に雨水と共に流入した土砂を雨水と共に流出させるための複数の流出孔が形成されており、該各流出孔は、その大きさが前記管部材の前記一端から他端に向けて漸次大きくなるように形成されていることを特徴とする請求項１に記載の雨水貯留システム。
【請求項３】
前記管部材と前記土砂溜め部との間に配置された前記各充填部材には、それぞれ該各充填部材上を流れる雨水に含まれる土砂を前記各充填部材の下方へ落下させるための複数の落下孔が形成されており、該各落下孔は、それぞれが形成された前記各充填部材の上方に位置する前記各流出孔から落下する土砂の挿通を許す大きさを有することを特徴とする請求項２に記載の雨水貯留システム。
【請求項４】
前記管部材と前記土砂溜め部との間には、前記充填部材は配置されていないことを特徴とする請求項２に記載の雨水貯留システム。
【請求項５】
前記管部材の前記他端は、前記貯水部内に開放していることを特徴とする請求項２乃至４のいずれか一項に記載の雨水貯留システム。
【発明の詳細な説明】
【技術分野】
【０００１】
本発明は、雨水を一時的に貯留するための雨水貯留システムに関する。
【背景技術】
【０００２】
従来、例えば住宅地の雨水の停滞及び河川の氾濫等の防止のために、雨水を一時的に貯留するための雨水貯留システムが知られている（例えば、特許文献１参照。）。
【０００３】
この雨水貯留システムは、地面を掘削することにより形成された貯水部と、該貯水部内を充填するように積層されて該貯水部内に配置される複数の板状の充填部材とを備える。
【０００４】
貯水部には、雨水を貯水部内に流入させるための流入口が設けられている。貯水部の底面には、流入口から貯水部内に雨水と共に流入した土砂を溜めておくための土砂溜め部が設けられている。土砂溜め部は、流入口から貯水部内への雨水の流入方向に沿って伸びる。
【０００５】
流入口から貯水部内に流入した雨水は、各充填部材上を順次流れることにより貯水部の底面に向けて流れ落ちる。このとき、雨水に含まれる土砂は、流入口から流入する雨水から受ける水圧により各充填部材上を流入口から離れる方向へ押し流された後、該充填部材の下方に配置された他の充填部材上に沈降し、更に該充填部材上を流入口から離れる方向へ押し流される。これを繰り返すことにより、土砂は各充填部材により土砂溜め部に案内される。これによれば、貯水部内に流入した雨水に含まれる土砂が土砂溜め部内に集積されるので、土砂が例えば貯水部の底面に散乱している場合に比べて、貯水部内からの土砂の除去を効率よく行うことができる。
【０００６】
土砂溜め部内に貯留された土砂を除去する際、例えば土砂溜め部内に吸引装置のホースを挿入し、吸引装置の作動によりホースを経て土砂溜め部内の土砂を吸引する。
【特許文献１】特開２００６−３０７４９４号公報
【発明の開示】
【発明が解決しようとする課題】
【０００７】
しかしながら、雨水と共に貯水部内に流入した土砂を、流入口から流入する雨水の水勢により底面の土砂溜め部内に向けて移動させていることから、土砂は貯水部内で流入口から離れる方向へ押し流されるため、土砂溜め部内の領域のうち流入口から離れた領域に土砂が集中的に溜まり易くなる。土砂溜め部内の一部に土砂が集中的に溜まると、土砂溜め部内から土砂が溢れ出してしまう。
【０００８】
このため、土砂溜め部内の土砂を除去すべく該土砂を吸引したとき、土砂溜め部内から溢れ出た分の土砂を吸引することができなくなる虞がある。
【０００９】
そこで、本発明の目的は、貯水部内に流入した土砂を貯水部内から確実に除去することができる雨水貯留システムを提供することにある。
【課題を解決するための手段】
【００１０】
上記課題を解決するために、請求項１に記載の発明は、雨水を流入させる流入口が設けられ、該流入口から流入した雨水を貯留するための貯水部と、該貯水部内を充填するように積層されて前記貯水部内に配置された複数の充填部材と、前記貯水部の底面に設けられ、前記流入口を経て前記貯水部内に雨水と共に流入した土砂を溜めるための土砂溜め部とを備え、前記貯水部内には、該貯水部内に流入した土砂を前記土砂溜め部内にその伸長方向にほぼ一様に撒くための土砂撒き手段が設けられていることを特徴とする。
【００１１】
請求項２に記載の発明は、請求項１に記載の発明において、前記土砂溜め部は、少なくとも前記流入口から前記貯水部内への雨水の流入方向に沿って伸びるように前記貯水部の前記底面に設けられており、前記土砂撒き手段は、前記土砂溜め部の上方に該土砂溜め部の伸長方向に沿って伸びるように配置され、一端が前記流入口に接続された管部材であり、該管部材には、前記流入口を経て前記管部材内に雨水と共に流入した土砂を雨水と共に流出させるための複数の流出孔が形成されており、該各流出孔は、その大きさが前記管部材の前記一端から他端に向けて漸次大きくなるように形成されていることを特徴とする。
【００１２】
請求項３に記載の発明は、請求項２に記載の発明において、前記管部材と前記土砂溜め部との間に配置された前記各充填部材には、それぞれ該各充填部材上を流れる雨水に含まれる土砂を前記各充填部材の下方へ落下させるための複数の落下孔が形成されており、該各落下孔は、それぞれが形成された前記各充填部材の上方に位置する前記各流出孔から落下する土砂の挿通を許す大きさを有することを特徴とする。
【００１３】
請求項４に記載の発明は、請求項２に記載の発明において、前記管部材と前記土砂溜め部との間には、前記充填部材は配置されていないことを特徴とする。
【００１４】
請求項５に記載の発明は、請求項２乃至４のいずれか一項に記載の発明において、前記管部材の前記他端は、前記貯水部内に開放していることを特徴とする。
【発明の効果】
【００１５】
請求項１に記載の発明によれば、貯水部内には、該貯水部内に流入した土砂を土砂溜め部内にその伸長方向にほぼ一様に撒くための土砂撒き手段が設けられていることから、貯水部内に流入口を経て雨水と共に流入した土砂を土砂撒き手段により土砂溜め部内に偏りなく均一に溜めることができる。
【００１６】
このことから、土砂溜め部内の領域のうち流入口から離れた領域に土砂が集中的に溜まることが防止されるので、従来のように土砂溜め部内の一部に土砂が集中的に溜まることによって土砂溜め部内から土砂が溢れ出してしまうことを、確実に防止することができる。
【００１７】
これにより、土砂溜め部内の土砂を除去すべく例えば土砂溜め部内に吸引装置のホースを挿入して吸引装置の作動によりホースを経て土砂を吸引したとき、土砂溜め部内に溜まった土砂のうちのほぼ全ての土砂を確実に吸引することができる。
【００１８】
従って、従来のように土砂溜め部内から溢れ出た分の土砂を残すことはなく、貯水部内に流入した土砂を貯水部内から確実に除去することができる。
【００１９】
請求項２に記載の発明によれば、土砂溜め部の上方に該土砂溜め部の伸長方向に沿って伸びるように配置され且つ一端が流入口に接続された管部材に、流入口を経て管部材内に雨水と共に流入した土砂を雨水と共に流出させるための複数の流出孔が形成されており、該各流出孔は、その大きさが管部材の一端から他端に向けて漸次大きくなるように形成されている。
【００２０】
一端が流入口に接続された管部材が土砂溜め部の上方に該土砂溜め部の伸長方向に沿って伸びるように配置されていることから、流入口を経て管部材内に雨水と共に流入した土砂は、管部材内から各流出孔を経て土砂溜め部に向けて流出する。
【００２１】
このとき、各流出孔の大きさが管部材の一端から他端に向けて漸次大きくなることから、管部材内に流入口を経て雨水と共に流入した土砂に含まれる砂及び石は、管部材内をその一端から他端に向けて移動したとき、それぞれが挿通可能な大きさを有する流出孔上を通過するときに該流出孔を経て管部材内からその下方へ流出する。すなわち、管部材内に流入した砂及び石は、それらのうち大きさが小さいものから順に管部材内からその下方へ流出する。
【００２２】
また、雨水が貯水部内に流入するとき、流入口を経て管部材内に直接流入することから、各流出孔を経て管部材内から流出した土砂は、土砂溜め部内に向けて沈降する過程で、貯水部内に流入する雨水から圧力を受けることはないので、雨水の水勢によって流入口から離れる方向へ押し流されることはない。
【００２３】
従って、各流出孔を経て管部材内から流出した土砂は、その貫通した流出孔のほぼ真下に沈降することから、土砂に含まれる砂及び石の大きさに応じて土砂溜め部内への土砂の沈殿位置を異ならせることができるので、土砂溜め部内に砂及び石をそれらの大きさ毎にほぼ分別して集積することができる。
【００２４】
このことから、土砂溜め部内の領域のうち流入口から離れた領域に土砂が集中的に溜まることなく土砂を土砂溜め部内にその伸長方向に沿って一様に撒くことができるので、従来のように土砂溜め部内の一部に土砂が集中的に溜まることによって土砂溜め部内から土砂が溢れ出してしまうことを、確実に防止することができる。
【００２５】
これにより、土砂溜め部内の土砂を除去すべく例えば土砂溜め部内に吸引装置のホースを挿入して吸引装置の作動によりホースを経て土砂を吸引したとき、土砂溜め部内に溜まった土砂のうちのほぼ全ての土砂を確実に吸引することができる。
【００２６】
従って、従来のように土砂溜め部内から溢れ出た分の土砂を残すことはなく、貯水部内に流入した土砂を貯水部内から確実に除去することができる。
【００２７】
請求項３に記載の発明によれば、管部材と土砂溜め部との間に配置された各充填部材には、それぞれ該各充填部材上を流れる雨水に含まれる土砂を各充填部材の下方へ落下させるための複数の落下孔が形成されており、該各落下孔は、それぞれが形成された各充填部材がそれぞれ対応する各流出孔から落下する土砂の挿通を許す大きさを有する。
【００２８】
このことから、管部材と土砂溜め部との間に配置された各充填部材に沈着した土砂を前記各充填部材に形成された各落下孔をその上方から下方へ通すことにより、前記各充填部材の真下に配置された充填部材に向けて土砂を流下させることができる。
【００２９】
これにより、管部材と土砂溜め部との間に充填部材が配置されている場合でも、該各充填部材がそれぞれ土砂溜め部内の適正な位置への土砂の沈降の妨げになることなく、従って、前記各充填部材上に土砂を滞留させることなく、土砂溜め部内で各流出孔に対応する適正な位置に土砂を集積することができる。
【００３０】
請求項４に記載の発明によれば、管部材と土砂溜め部との間には、充填部材は配置されていないことから、各流出孔を経て管部材内から流出した土砂が土砂溜め部内に向けて沈降するとき、その沈降が充填部材に妨げられることが確実に防止される。
【００３１】
また、雨水が貯水部内に流入するとき、流入口を経て管部材内に直接流入することから、各流出孔を経て管部材内から流出した土砂は、土砂溜め部内に向けて沈降する過程で、貯水部内に流入する雨水から圧力を受けることはないので、雨水の水勢によって流入口から離れる方向へ押し流されることはない。
【００３２】
従って、各流出孔を経て管部材内から流出した土砂を、その貫通した流出孔のほぼ真下に沈降させることができるので、砂及び石を土砂溜め部内に適正な位置に確実に沈降させることができる。
【００３３】
請求項５に記載の発明によれば、管部材の他端が貯水部内に開放していることから、管部材内に流入した雨水を他端から貯水部内に流出させることができる。
【００３４】
これにより、管部材内にその一端から流入する雨水の単位時間当たりの流入量が各流出孔からの単位時間当たりの流出量を全て足し合わせた量よりも多い場合でも、管部材内が満水になることによって雨水の逆流や管部材への大きな負荷等が発生することを、確実に防止することができる。
【発明を実施するための最良の形態】
【００３５】
本発明を図示の実施例に沿って説明する。
【実施例】
【００３６】
本発明に係る雨水貯留システム１０は、図１に示すように、雨水を貯留するための貯水部１１を備える。
【００３７】
貯水部１１は、地面を掘り下げることにより形成されており、上方へ開放する凹状をなしている。貯水部１１の開口１２には、図示の例では、防水性を有する被覆部材１３が開口１２を覆うように設けられている。貯水部１１の底面１４は、図示の例では、矩形状をなした平坦面である。底面１４上には、例えば割栗石のような石を敷き詰めることにより基礎部１５が形成されており、該基礎部上には、例えば合成樹脂からなる防水シート１６が敷設されている。貯水部１１の側面１１ａ上には、前記したと同様の防水シート１８が設けられている。基礎部１５上及び側面１１ａ上への防水シート１６，１８の設置により、貯水部１１内に貯留された雨水が基礎部１５及び側面１１ａから地中に浸透することが防止される。図１で見て左側に位置する防水シート１８の上部１８ａには、該防水シートを部分的に切り取ることにより、雨水を貯水部１１内に流入させるための流入口１９が形成されている。
【００３８】
貯水部１１の図１で見て左右両側の外方には、図示の例では、それぞれ第一のマンホール２０及び第二のマンホール２１がそれぞれ埋設されている。第一及び第二の各マンホール２０，２１は、図示の例では、それぞれほぼ正方形の横断面を有する筒状をなしており、それぞれの軸線が上下方向を向くように貯水部１１の奥行方向の中央部に配置されている。
【００３９】
第一のマンホール２０の側壁２０ａには、図１に示すように、流入口１９で貯水部１１内に開放する開口２２が形成されている。
【００４０】
第一のマンホール２０の側壁２０ａには、図示しないが従来よく知られているように、道路に設けられた排水溝内の雨水を第一のマンホール２０に案内するための流入管が接続されている。前記流入管を経て第一のマンホール２０内に案内された雨水の水位が上昇して開口２２の下縁部２２ａを超えたとき、雨水は第一のマンホール２０内から開口２２及び流入口１９をそれぞれ経て貯水部１１内に流入する。
【００４１】
第二のマンホール２１の側壁２１ａの下部２１ｂには、後述する土砂溜め部２９内に開放する開口２３が形成されている。
【００４２】
貯水部１１内には、貯水部１１の周囲からの土圧により貯水部１１の側面１１ａが崩れることを防止するための複数の充填部材２４が配置されている。
【００４３】
各充填部材２４は、図１に示す例では、それぞれポリエチレン及び塩化ビニルのような合成樹脂からなり、平面がほぼ正方形をなした板部材からなる。各充填部材２４は、貯水部１１の基礎部１５上にマトリックス状に整列して配置され、更に、貯水部１１内を充填するように該貯水部の深さ方向に積層されている。各充填部材２４は、図２に示すように、その四つの角部を構成する四本の柱状の連結部２５と、該各連結部に固定され、水平面に対して所定の角度で傾斜する平坦な板状の傾斜板部２６とを有する。
【００４４】
各連結部２５は、図示の例では、それぞれ横断面が二等辺三角形をなした筒状をなしており、軸線が上下方向を向き且つ斜辺が各充填部材２４の内方へ向くように配置されている。各連結部２５の下端２５ａには、互いに重なり合った他の充填部材２４の対応する連結部２５の上端２５ｂに嵌合可能な嵌合部分２７が形成されている。各充填部材２４を互いに重ね合わせたときに、各充填部材２４の各連結部２５の嵌合部分２７を、他の充填部材２４の対応する各連結部２５の上端２５ｂにそれぞれ嵌合させることにより、互いに重なり合った各充填部材２４を互いに連結することができる。互いに重なり合った各充填部材２４間に、図１に示すように、両充填部材２４の連結部２５に接続可能なスペーサ部材Ｓを配置することにより、両充填部材２４間の間隔を調節することができる。また、各層を構成する複数の充填部材２４は、それぞれ図示しない連結手段により連結される。
【００４５】
傾斜板部２６の傾斜角度は、貯水部１１内に雨水と共に流入した土砂が傾斜板部２６上に滞留することなく雨水と共に傾斜板部２６上を図２に示す矢印の方向へ容易に流れる大きさに設定されている。傾斜板部２６には、貯水部１１内に貯留された雨水から浮力を受けることを防止すべく雨水の流通を許す複数の流通孔３３が形成されている。
【００４６】
各充填部材２４は、図３に示すように、それぞれ傾斜板部２６の傾斜が貯水部１１の基礎部１５の図３で見て上下方向（以下、奥行方向と称す。）の中央部に向けて下り勾配となるように、基礎部１５上に整列して配置され、更に、貯水部１１の深さ方向に積層されている。流入口１９を経て貯水部１１内に流入した雨水及びそれに含まれる土砂は、各充填部材２４の傾斜板部２６上を順次流れ落ち、貯水部１１の基礎部１５の前記中央部に向けて案内される。
【００４７】
貯水部１１の周囲からその内方に向けての土圧は、互いに隣接した各充填部材２４間でそれらを圧縮する圧縮力として受け止められるので、土圧による貯水部１１の側壁１１ａの崩れが防止される。
【００４８】
貯水部１１の基礎部１５の前記中央部には、図１及び図３に示すように、各充填部材２４により案内された土砂を留めるための前記した土砂溜め部２９が設けられている。土砂溜め部２９は、図３で見て左右方向に沿ってすなわち流入口１９から貯水部１１内への雨水の流入方向に沿って伸び、上方へ開放している。土砂溜め部２９の両端のうち第二のマンホール２１側に位置する端部２９ａは、開口２３を経て第二のマンホール２１内に開放している。
【００４９】
更に、本発明に係る雨水貯留システム１０は、貯水部１１内に流入した土砂を土砂溜め部２９内にその伸長方向にほぼ一様に撒くための土砂撒き手段３０を備える。
【００５０】
土砂撒き手段３０は、図示の例では、管部材３１で構成されている。管部材３１は、図４に示すように、両端３１ａ，３１ｂがそれぞれ開放しており、積層された各充填部材２４間の大きさとほぼ等しい外径を有する。管部材３１は、図５に示す例では、土砂溜め部２９の上方で流入口１９の高さ位置とほぼ等しい高さ位置で上下方向に配列された各充填部材２９間に挿入されている。これにより、管部材３１は、図１に示すように、土砂溜め部２９の伸長方向に沿って伸びるように土砂溜め部２９の上方に配置されている。管部材３１の一端３１ａは、流入口１９を介して第一のマンホール２０の開口２２に接続されている。管部材３１の他端３１ｂは、図示の例では、貯水部１１内に開放している。
【００５１】
管部材３１には、図４に示すように、流入口１９を経て管部材３１内に雨水と共に流入した土砂を雨水と共に流出させるための複数の流出孔３２が形成されている。各流出孔３２は、図１及び図４に示す例では、それぞれほぼ円形をなしており、それぞれが管部材３１の軸線方向に間隔をおいて配置されている。各流出孔３２の大きさは、それぞれ管部材３１の一端３１ａから他端３１ｂに向けて漸次大きくなるように設定されている。
【００５２】
図示の例では、管部材３１をその軸線方向に三つの領域３１ｃ，３１ｄ，３１ｅに分け、各領域に、それぞれ該各領域内で大きさが同一であり且つ各領域間で大きさが異なるように複数の流出孔３２が形成されている。
【００５３】
各領域３１ｃ，３１ｄ，３１ｅのうち管部材３１の一端３１ａを含む第一の領域３１ｃ内に形成された各流出孔３２の大きさは、各領域３１ｃ，３１ｄ，３１ｅに形成された各流出孔３２の中で最も小さい。
【００５４】
各領域３１ｃ，３１ｄ，３１ｅのうち管部材３１の他端３１ｂを含む第二の領域３１ｄ内に形成された各流出孔３２の大きさは、各領域３１ｃ，３１ｄ，３１ｅに形成された各流出孔３２の中で最も大きい。
【００５５】
各領域３１ｃ，３１ｄ，３１ｅのうち管部材３１の軸線方向の中央の第三の領域３１ｅに形成された各流出孔３２の大きさは、前記第一の領域３１ｃに形成された各流出孔３２よりも大きさが大きく且つ前記第二の領域３１ｄに形成された各流出孔３２の大きさよりも小さい。
【００５６】
前記第一、第二及び第三の各領域３１ｃ，３１ｄ，３１ｅに形成された各流出孔３２は、図示の例では、それぞれ管部材３１の下縁部３１ｆに形成されている。
【００５７】
また、本実施例では、図６に示すように、管部材３１と土砂溜め部２９との間に配置された各充填部材２４すなわち複数の充填部材２４のうち図３で見て傾斜板部２６の傾斜方向が図３の左右方向を向いている各充填部材２４（以下、前記各充填部材２４と称す。）の傾斜板部２６に形成された各流通孔３３は、該各流通孔がそれぞれ形成された前記各充填部材２４の上方に位置する各流出孔３２から落下する砂及び石の挿通を許す大きさを有する。前記各充填部材２４の各流通孔３３の大きさは、図示の例では、それぞれ前記各充填部材２４の上方に位置する各流出孔３２とほぼ等しい大きさに設定されている。
【００５８】
第一のマンホール２０内の雨水の水位が上昇して開口２２の下縁部２２ａを超えたとき、雨水及び土砂は第一のマンホール２０内から開口２２及び流入口１９をそれぞれ経て貯水部１１内に配置された管部材３１内にその一端３１ａから流入する。管部材３１が前記したように土砂溜め部２９の上方に該土砂溜め部の伸長方向に沿って伸びるように配置されていることから、管部材３１内の雨水の一部は、管部材３１内から各流出孔３２を経て管部材３１の下方へ流出する。
【００５９】
このとき、各流出孔３２の大きさが管部材３１の一端３１ａから他端３１ｂに向けて前記領域毎に漸次大きくなることから、管部材３１内に雨水と共に流入した土砂に含まれる砂及び石は、管部材３１の一端３１ａから他端３１ｂに向けて前記各領域内を移動したとき、それぞれが挿通可能な大きさを有する流出孔３２が形成された前記領域内を通過するときに該流出孔を経て管部材３１内からその下方へ流出する。すなわち、管部材３１内に流入した砂及び石は、それらのうち大きさが小さいものから順に管部材３１内からその下方へ流出する。
【００６０】
また、雨水が貯水部１１内に流入するとき、流入口１９を経て管部材３１内に直接流入することから、各流出孔３２を経て管部材３１内から流出した土砂は、土砂溜め部２９内に向けて沈降する過程で、貯水部１１内に流入する雨水から圧力を受けることはないので、雨水の水勢によって流入口１９から離れる方向へ押し流されることはない。
【００６１】
管部材３１内から各流出孔３２を経て管部材３１の下方へ流出した砂及び石は、管部材３１の下方に配置された各充填部材２４の傾斜板部２６に沈着する。各充填部材２４の傾斜板部２６が前記したようにそれぞれ所定の角度で傾斜していることから、各充填部材２４の傾斜板部２６に沈着した土砂は、該傾斜板部上をその下縁部２６ａ（図２参照。）に向けて下降する。このとき、管部材３１と土砂溜め部２９との間に配置された各充填部材２４の傾斜板部２６に形成された各流通孔３３の大きさが、前記したように、それぞれ前記各充填部材２４の上方に位置する各流出孔３２とほぼ等しい大きさに設定されていることから、前記各充填部材２４の傾斜板部２６上を下降する土砂は、該土砂が沈着した充填部材２４に隣り合う充填部材２４に落下することなく、各流通孔３３を経て前記各充填部材２４の真下に配置された充填部材２４上に落下する。すなわち、各流通孔３３は、それぞれ前記各充填部材２４上の土砂を落下させるための落下孔を構成する。
【００６２】
従って、管部材３１の前記各領域の各流出孔３２を経て管部材３１内から流出した土砂は、前記各領域の下方に配置された各充填部材２４を経た後、土砂溜め部２９の領域のうち管部材３１の前記各領域に対応する領域に向けて沈降する。これにより、土砂に含まれる砂及び石の大きさに応じて土砂溜め部２９内への土砂の沈殿位置が異なるので、砂及び石はそれぞれ土砂溜め部２９内に砂及び石の大きさ毎にほぼ分別して集積される。
【００６３】
また、管部材３１の他端３１ｂが前記したように貯水部１１内に開放していることから、管部材３１内に流入した雨水の一部は、管部材３１内をその一端３１ａから他端３１ｂに向けて移動した後、管部材３１の他端３１ｂから貯水部１１内に流出する。
【００６４】
土砂溜め部２９内に集積された土砂を除去する際、例えば図示しない吸引装置のホースを、第二のマンホール２１内に挿入し、更に、第二のマンホール２１の側壁２１ａに形成された開口２３を通して土砂溜め部２９内に挿入し、前記吸引装置の作動により前記ホースを経て土砂溜め部２９内から土砂を吸引する。これにより、土砂溜め部２９内に溜められた土砂を貯水部１１内から排出することができる。
【００６５】
本実施例によれば、前記したように、土砂撒き手段３０を構成する管部材３１に形成された各流出孔３２の大きさが管部材３１の一端３１ａから他端３１ｂに向けて漸次大きくなることから、土砂に含まれる砂及び石の大きさに応じて土砂溜め部２９内への土砂の沈殿位置を異ならせることができるので、土砂溜め部２９内に砂及び石をそれらの大きさ毎にほぼ分別して集積することができる。
【００６６】
このことから、土砂溜め部２９内の領域のうち流入口１９から離れた領域に土砂が集中的に溜まることなく土砂を土砂溜め部２９内にその伸長方向に沿って一様に撒くことができるので、従来のように土砂溜め部２９内の一部に土砂が集中的に溜まることによって土砂溜め部２９内から土砂が溢れ出してしまうことを、確実に防止することができる。
【００６７】
これにより、土砂溜め部２９内の土砂を除去すべく例えば土砂溜め部２９内に吸引装置のホースを挿入して吸引装置の作動によりホースを経て土砂を吸引したとき、土砂溜め部２９内に溜まった土砂のうちのほぼ全ての土砂を確実に吸引することができる。
【００６８】
従って、従来のように土砂溜め部２９内から溢れ出た分の土砂を残すことはなく、貯水部１１内に流入した土砂を貯水部１１内から確実に除去することができる。
【００６９】
また、前記したように、管部材３１と土砂溜め部２９との間に配置された各充填部材２４には、それぞれ該各充填部材上を流れる雨水に含まれる土砂を各充填部材２４の下方へ落下させるための複数の落下孔である流通孔３３が形成されており、該各流通孔は、それぞれが形成された前記各充填部材２４の上方に位置する各流出孔３２から落下する土砂の挿通を許す大きさを有する。
【００７０】
このことから、前記各充填部材２４に沈着した土砂を前記各充填部材２４に形成された各流通孔３３をその上方から下方へ通すことにより、前記各充填部材２４の真下に配置された充填部材２４に向けて土砂を流下させることができる。
【００７１】
これにより、管部材３１と土砂溜め部２９との間に充填部材２４が配置されている場合でも、該各充填部材がそれぞれ土砂溜め部２９内の適正な位置への土砂の沈降の妨げになることなく、従って、前記各充填部材２４上に土砂を滞留させることなく、土砂溜め部２９内で各流出孔３２に対応する適正な位置に土砂を集積することができる。
【００７２】
更に、前記したように、管部材３１の他端３１ｂが貯水部１１内に開放していることから、管部材３１内に流入した雨水を他端３１ｂから貯水部１１内に流出させることができる。
【００７３】
これにより、管部材３１内にその一端３１ａから流入する雨水の単位時間当たりの流入量が各流出孔３２からの単位時間当たりの流出量を全て足し合わせた量よりも多い場合でも、管部材３１内が満水になることによって雨水の逆流や管部材３１への大きな負荷等が発生することを、確実に防止することができる。
【００７４】
本実施例では、管部材３１に形成された各流出孔３２がそれぞれほぼ円形をなした例を示したが、これに代えて、例えば図７に示すように、管部材３１の軸線方向又は周方向に沿って伸びるように各流出孔３２を形成することができる。この場合、各流出孔３２の幅寸法を、それぞれ管部材３１の一端３１ａから他端３１ｂに向けて漸次大きくなるように設定することができる。
【００７５】
また、本実施例では、複数の流出孔３２が管部材３１の下縁部３１ｆに管部材３１の軸線方向にそれぞれ間隔をおいて形成された例を示したが、これに代えて、図示しないが、複数の流出孔３２を、それぞれ管部材３１に前記第一、第二及び第三の各領域３１ｃ，３１ｄ，３１ｅ内で管部材３１の軸線方向及び周方向にそれぞれ間隔をおくように形成することができる。
【００７６】
更に、本実施例では、管部材３１の前記第一、第二及び第三の各領域３１ｃ，３１ｄ，３１ｅ内に形成された各流出孔３２の大きさが各領域３１ｃ，３１ｄ，３１ｅ内で同一である例を示したが、これに代えて、図示しないが、各流出孔３２の大きさが前記第一、第二及び第三の各領域３１ｃ，３１ｄ，３１ｅ内及び該各領域間で管部材３１の一端３１ａから他端３１ｂに向けて漸次大きくなるように設定することができる。
【００７７】
また、本実施例では、管部材３１と土砂溜め部２９との間に配置された各充填部材２４の傾斜板部２６に形成された各流通孔３３の大きさが、それぞれ前記各充填部材２４の上方に位置する各流出孔３２とほぼ等しい大きさに設定された例を示したが、これに代えて、図示しないが、各流通孔３３の大きさを、それぞれ管部材３１に形成された複数の流出孔３２のうち最も大きい流出孔３２の大きさとほぼ等しい大きさに設定することができる。これにより、前記各充填部材２４の傾斜板部２６上を下降する土砂を、各流通孔３３を経て前記各充填部材２４の真下に配置された充填部材２４上に容易に落下させることができる。
【００７８】
更に、本実施例では、連結部２５と傾斜板部２６とを有する充填部材２４を本発明に適用した例を示したが、これに代えて、例えば図８に示すように、ほぼ矩形状をなした板状部材３５と、該板状部材から該板状部材の一側に伸びる複数の筒状の脚部材３６とを有する充填部材３７を本発明に適用することができる。
【００７９】
各充填部材３７は、充填部材２４と同様に、貯水部１１の基礎部１５上にマトリックス状に整列して配置され、更に、貯水部１１内を充填するように該貯水部の深さ方向に積層される。
【００８０】
板状部材３５及び各脚部材３６は、図示の例では、それぞれポリエチレン及び塩化ビニルのような合成樹脂からなる。また、図示の例では、板状部材３５をその下方から見て行列状をなすように９つの脚部材３６がそれぞれ等間隔をおいて配置されている。板状部材３５には、各脚部材３６内にそれぞれ開放する複数の開口４０が形成されている。
【００８１】
また、図９に示すように、第一のマンホール２０の開口２２に分岐管３８が流入口１９を介して接続されている。分岐管３８は、その一端３８ａで第一のマンホール２０の開口２２に接続されている。分岐管３８の他端３８ｂには、それぞれに図４に示した管部材３１の一端３１ａが接続される２つの分岐部３９が形成されている。
【００８２】
各分岐部３９は、それぞれ貯水部１１内に第一のマンホール２０側とは反対側へ向けて開放しており、それぞれ列方向（図９で見て上下方向である。）に配列された各脚部材３６間に位置している。各分岐部３９にそれぞれ接続された各管部材３１は、それぞれ各分岐部３９から列方向に配列された各脚部材３６間を土砂溜め部２９の伸長方向に沿って伸びる。
【００８３】
図８及び図９に示す例によれば、雨水及び土砂が第一のマンホール２０内から開口２２及び流入口１９をそれぞれ経て分岐管３８内に流入し、更に、該分岐管内を経て各分岐部３９からそれぞれ各管部材３１内に流入する。各管部材３１内に雨水と共に流入した土砂に含まれる砂及び石は、前記したと同様に、それらのうち大きさが小さいものから順に流出孔３２を経て各管部材３１内からその下方へ流出する。各管部材３１の下方へ流出した砂及び石は、各管部材３１の下方に配置された各充填部材３７の板状部材３５に沈着する。各板状部材３５に沈着した土砂は、雨水と共に各開口４０を経て各脚部材３６内に流入し、前記各充填部材３７の真下に配置された充填部材３７の板状部材３５上に落下する。これにより、各管部材３１内から流出した土砂は、該各管部材の下方に配置された各充填部材３７の開口４０及び各脚部材３６内をそれぞれ経た後、土砂溜め部２９の領域のうち各管部材３１の前記各領域に対応する領域に向けて沈降する。
【００８４】
図１乃至図９に示す例では、管部材３１と土砂溜め部２９との間に充填部材２４，３７が配置された例を示したが、これに代えて、管部材３１と土砂溜め部２９との間に配置された充填部材２４，３７をそれぞれ不要とすることができる。
【００８５】
この場合、各流出孔３２を経て管部材３１内から流出した土砂が土砂溜め部２９内に向けて沈降するとき、その沈降が充填部材２４，３７に妨げられることが確実に防止される。
【００８６】
また、雨水が貯水部１１内に流入するとき、流入口１９を経て管部材３１内に直接流入することから、各流出孔３２を経て管部材３１内から流出した土砂は、土砂溜め部２９内に向けて沈降する過程で、貯水部１１内に流入する雨水から圧力を受けることはないので、雨水の水勢によって流入口１９から離れる方向へ押し流されることはない。
【００８７】
従って、各流出孔３２を経て管部材３１内から流出した土砂を、その貫通した流出孔３２のほぼ真下に沈降させることができるので、砂及び石を土砂溜め部２９内に適正な位置により確実に沈降させることができる。
【００８８】
また、図１乃至図９に示す例に代えて、例えば図１０に示すような充填部材４１を本発明に適用することができる。充填部材４１は、従来よく知られたコンクリート製のボックスカルバートであり、貯水部１１の基礎部１５上から立ち上がる複数の柱部材４２と、該柱部材の上端部間に架け渡されるように配置される頂板部材４３とを有する
各柱部材４２は、それぞれ貯水部１１の前記奥行方向に沿ってそれぞれ間隔をおき且つ貯水部１１の横方向（図１で見て左右方向である。）に沿ってそれぞれ間隔をおいて配列されている。図示の例では、複数の流出孔３２が形成された管部材３１は、前記奥行方向に配列された複数の柱部４２のうち土砂溜め部２９上に位置する一対の柱部材４２間を貯水部１１の前記横方向に沿って伸びるように配置されている。
【００８９】
図１０において、貯水部１１に土砂溜め部２９が設けられていない場合には、管部材３１の配置を図９に示した位置以外の位置に設定することができる。
【００９０】
また、図１乃至図９に示す例では、貯水部１１の左右両側の外方にそれぞれ第一のマンホール２０及び第二のマンホール２１がそれぞれ埋設された例を示したが、これに代えて、第一及び第二の各マンホール２０，２１をそれぞれ不要とすることができる。この場合、管部材３１の一端３１ａに前記流入管を流入口１９を介して接続し、更に、土砂溜め部２９を例えば下水管に接続することができる。これにより、雨水を前記流入管から管部材３１内に直接流入させることができ、また、第一のマンホール２０内からの雨水により土砂溜め部２９内を押し流された土砂を土砂溜め部２９内から前記下水管に排出することができるので、前記吸引装置を用いた吸引作業が不要とすることができる。
【００９１】
図１乃至図１０に示す例では、土砂溜め部２９が流入口１９から貯水部１１内への雨水の流入方向に沿って伸びる例を示したが、これに代えて、又は、これに加えて、例えば貯水部１１の奥行方向に沿って伸びる土砂溜め部２９を本発明に適用することができる。この場合、管部材３１の軸線方向が土砂溜め部２９の伸長方向に沿うように管部材３１の形状及び配置態様を適宜変更することができる。
【００９２】
また、図１乃至図１０に示す例では、土砂撒き手段３０が、複数の流出孔３２が形成された管部材３１で構成された例を示したが、これに代えて、貯水部１１内に流入した土砂を土砂溜め部２９内にその伸長方向にほぼ一様に撒くことができれば、管部材３１以外の部材で土砂撒き手段３０を構成することができる。
【００９３】
更に、図１乃至図１０に示す例では、貯水部１１の側面１１ａ上及び基礎部１５上に、それぞれ地中への雨水の浸透を防止するための防水シート１６，１８が設けられた例を示したが、これに代えて、貯水部１１内に貯留された雨水を地中に徐々に浸透させるために、貯水部１１の側面１１ａ上及び基礎部１５上に、それぞれ図示しない透水シートを設けることができる。
【図面の簡単な説明】
【００９４】
【図１】本発明に係る雨水貯水システムを概略的に示す縦断面図である。
【図２】本発明に係る充填部材を概略的に示す斜視図である。
【図３】本発明に係る雨水貯留システムを概略的に示す平面図である。
【図４】本発明に係る管部材を概略的に示す斜視図である。
【図５】本発明に係る管部材が充填部材間に挿入された状態を概略的に示す縦断面図である。
【図６】本発明に係る管部材と土砂溜め部との間に配置された充填部材を概略的に示す斜視図である。
【図７】図１乃至図６に示す管部材とは別の実施例に係る管部材を概略的に示す斜視図である。
【図８】図１乃至図６に示す充填部材とは別の実施例に係る充填部材を概略的に示す斜視図である。
【図９】図８に示す例において、分岐管の分岐部にそれぞれ接続された各管部材を概略的に示す説明図である。
【図１０】図１乃至図９に示す充填部材とは別の充填部材が用いられた例を概略的に示す斜視図である。
【符号の説明】
【００９５】
１０  雨水貯留システム
１１  貯水部
１９  流入口
２４  充填部材
２９  土砂溜め部
３０  土砂撒き手段
３１  管部材
３２  流出孔
３３  落下孔（流通孔）
【図１】
0004982308.tif 000002
【図２】
0004982308.tif 000003
【図３】
0004982308.tif 000004
【図４】
0004982308.tif 000005
【図５】
0004982308.tif 000006
【図６】
0004982308.tif 000007
【図７】
0004982308.tif 000008
【図８】
0004982308.tif 000009
【図９】
0004982308.tif 000010
【図１０】
0004982308.tif 000011